(57)【要約】    【課題】  スライドファスナーを取り付けている衣類を洗濯するときスライダーが破損し易く又、消失することがあり、スライダーを新品に交換する場合、ファスナー基布に取り付けられた下止を取り外す手間を要し、着脱容易な下止を付しスライダーを簡単に交換できるスライドファスナーが要請されている。    【解決手段】  ファスナーエレメントを設けたファスナー基布の下部を糸でかがり縫いして下止を代用し、或は着脱容易な下止代用の留め具を取り付け、スライダー破損時に糸を切断し或は留め具を取り除いてスライダーを取り外す。  又、手指を差し入れスライダーを外し易い開口部をファスナー基布の下部に設ける。        【選択図】  図１
2008161489.tif 000002
【特許請求の範囲】
【請求項１】
ファスナーエレメント３の下部において対向するファスナー基布４、４間を糸６でかがり縫いして縫合することにより下止を代用し、スライダー２がファスナー基布４、４の下部から離脱しないようにすると共に糸６を切断してスライダー２の交換を容易にしたことを特徴とするスライドファスナー。  
【請求項２】
前記糸６に替え、コ字形部材からなる取り外し容易な下止７の脚杆を刺挿して成る請求項１記載のスライドファスナー。
【請求項３】
ファスナー基布４、４末端部位の付近に表側から見えにくいように開口部８ｂを設け、スライダー２の交換時に開口部８ｂに手指を差し入れスライダー２を把持できるようにした請求項１または請求項２記載のスライドファスナー。
【請求項４】
ファスナーエレメント３の下部において対向するファスナー基布４、４間にわたり布バンド９の両端を縫着してファスナー基布４、４同士が離れないようにし、布バンド９とファスナー基布４、４面の間に形成される空間にファスナー基布４、４の端部を差し入れて成るスライドファスナー。
【発明の詳細な説明】
【技術分野】
【０００１】
本発明はスライドファスナーが装着されている衣服を洗濯したときにスライダーが破損している場合、スライダーを取り外し易くし又、簡単に新品のスライダーを装着できるスライドファスナーに関する。
【背景技術】
【０００２】
一例としてスライドファスナーが縫着されている、医師や看護師が着用する使用済みの白衣や、入院患者が着用した介護用衣服は、リネン業者が持ち帰り大型の業務用乾燥洗濯機を用いて洗濯した後、洗濯済みの白衣や介護用衣服を病院へ納品しているのが現状である。これらの衣服は着替えし易いようスライドファスナーを取り付けているが、スライダーが嵩高いため洗濯時に破損することが多く、その交換が煩わしい。勿論、一般用の衣服にもスライドファスナーを縫着しているものが多々あり、洗濯時に破損したり、消失してしまう場合が多い。そこでスライダーを取り外して洗濯するスライドファスナーとしてファスナー本体に２個のスライダーを装着し、それぞれのスライド溝が閉じる側を互いに対向させ、ファスナー本体の両端部にスライド溝が通過可能な形状の第１部材と、スライド溝が通過不能な形状の第２部材とからなるストッパを、第１部材および第２部材の左右組み合わせがファスナー本体の一端部と他端部で互いに逆となるように取り付け、ストッパの第１部材をスライド溝を通過させて引き抜くと第１部材がスライダーから外れてファスナー本体が分離され、分離後の他端部に向けてスライダーをスライドさせ２個のスライダーを共に第１部材を通過させてファスナー本体から取り外すようにしている発明がある、例えば特許文献１。
【特許文献１】特許第３０５６２１９号公報
【発明の開示】
【発明が解決しようとする課題】
【０００３】
前述の通りリネン業者は洗濯後に破損したスライダーを取り外し、或は消失したスライダーに替え新品のスライダーに交換する煩わしい手間を要し、特許第３０５６２１９号に係るスライドファスナーの場合は２個のスライダーと、第１部材および第２部材からなるストッパを装着することを要するため、この発明の場合、部品類が嵩高く衣服に使用すると違和感があり又、交換時にスライダー自身のデザイン、大小、厚み等を考慮しなければならず直ちに衣服に転用することはできない。
【課題を解決するための手段】
【０００４】
本発明は簡便な手段により上記の諸欠点を解消することを目的とし、衣服に縫着するファスナー基布にスライダー溝と噛み合うファスナーエレメント（務歯）を設け且つスライダーの上止を設けたスライドファスナーにおいて、スライダーの下止位置のファスナー基布同士を糸でかがり縫いして綴じ合わせ、或はスライダーの下止位置のファスナー基布同士に取り外しが簡単な留め具を取り付けてスライダーの下止代用としたのであり、又、スライダーの下止位置付近にスライダーを把持して取り出す開口部を表側から見えにくいよう衣服に設けることにより衣服の洗濯時に破損してしまったスライダーを取り除き、或は消失している場合、簡単に新品のスライダーを装着できるスライドファスナーを提供した。
【発明の効果】
【０００５】
本発明においてはスライダーの下止を、ファスナー基布同士をかがり縫いした糸、或は留め具で代用しているため、スライドファスナーを取り付けた衣服を洗濯機で洗濯した際スライダーが破損し或は消失している場合、かがり縫した糸を切断し或は留め具を取り外すという簡便な手段で破損したスライダーをファスナー基布から取り外し新品のスライダーと簡単に交換でき、或は新品のスライダーを新しく装着することができる。交換後、必要に応じスライダーの下止位置を糸でかがり縫いし又は下止位置に留め具を取り付けることでファスナー基布からスライダーが離脱しないように装着でき、衣服に設けている開口部に手指を差し入れスライダーを把持できるためスライダーの着脱が容易である。又、ファスナー基布同士の端部を離脱しないよう布バンドで縫着しファスナー基布面と布バンド間に形成される空間にファスナー基布の端部を差し入れると、ファスナー基布の端部が直接身体等に触れないためゴロコロする違和感が生じない。
【発明を実施するための最良の形態】
【０００６】
図７は従来のスライドファスナー１１を示す要部切欠正面図であり、スライド溝に装入されスライダー１２と噛み合うファスナーエレメント１３をファスナー基布１４、１４に設け、ファスナーエレメント１３の下部に下止１５を、上部に上止１６を取り付けている。  
【０００７】
図１は本発明の請求項１に係るスライドファスナー１を示す要部切欠正面図であり、スライド溝に装入されスライダー２と噛み合うファスナーエレメント３をファスナー基布４、４に設け、ファスナーエレメント３の上部に上止５、５をファスナー基布４、４に設けているスライドファスナー１において、図１のＡ矢視部及び同、Ａ矢視部を拡大した図２に示すように、ファスナーエレメント３の下部において対向するファスナー基布４、４間を糸６でかがり縫いして縫合することにより下止の代用とし、スライダー２を引き下げたときファスナー基布４、４の端部からスライダー２が離脱しないようにする。糸６を切断してファスナー基布４、４端部の縫合を切り離すと洗濯時に破損したスライダー２を自由に取り外すことができ、ファスナー基布４、４端部のファスナーエレメント３にスライダー２のスライド溝を噛み合わせスライドファスナー１にスライダー２を新たに装着することができる。
【０００８】
図３は本発明の請求項２に係る下止７を示し、かがり縫いする糸６に替えるものであつてコ字形部材からなり、開放されている脚杆をファスナー基布４、４下部の下止位置にわたり刺挿することにより取り付け、取り外すときは下止７を手指で把持して簡単に引き抜くことができるのである。
【０００９】
図４、図５及び図６は本発明の請求項３に係るスライドファスナーの実施例を示し、例えば医師や看護師が着用するガウンタイプの白衣８に取り付けられ、白衣８の腰部８ａに至るまでファスナーエレメント３が設けられ、図５に示す図４のＢ矢視部拡大裏面図及び図６に示す同、Ｂ矢視部拡大表面図のように、白衣８の裏側に縫着しているファスナー基布４、４下部に糸６をかがり縫いした部位の付近に、或は図示していないがコ字形部材からなる下止７を刺挿した部位の付近に白衣８の表側から見えにくいように開口部８ｂを設け、スライダー２の交換時に糸６を切断し、或は下止７を取り外して開口部８ｂに手指を差し入れスライダー２を把持し易くして、その着脱を容易にしている。
【００１０】
本発明に係るスライドファスナーは、上記の白衣のみに限定されず、広く一般の衣類、洗濯時に洗濯物を入れるための洗濯用ネット、布団や毛布のカバー等に設けているスライドファスナーに適用できるものである。  
【００１１】
図５は本発明の請求項４に係るスライドファスナーであり、ファスナー基布４、４下部を覆うようにして白衣８の裏面に布バンド９の両端を縫着し、ファスナー基布４、４面との間に形成される空間に未縫合のファスナー基布４、４の端部を差し入れることにより該端部が身体等に触れゴロゴロする違和感を無くすると共にファスナー基布４、４が互いに離れないようにしている。勿論この場合も白衣８に限定されず広く一般の衣類等に適用できる。
【産業上の利用可能性】
【００１２】
リネン業者が大量の業務用の白衣や介護用衣服の洗濯と、病院への納品を短期間に効率良くできる利点があるのみならず、一般用の衣類、洗濯用ネット、布団や毛布のカバー等に装着したスライドファスナーおいてもスライダー交換が容易である。
【図面の簡単な説明】
【００１３】
【図１】本発明の請求項１に係るスライドファスナーを示す要部切欠正面図。
【図２】図１におけるＡ矢視部拡大図。
【図３】本発明の請求項２に係るコ字形部材からなる下止を示す正面図。
【図４】本発明の請求項３係る下止を白衣に実施した状態を示す正面図。
【図５】図４におけるＢ矢視部裏面側拡大図。
【図６】本発明の請求項４に係るスライドファスナーを衣服に実施した状態を示す              図４におけるＢ矢視部表面側拡大図。
【図７】従来のスライドファスナーを示す要部切欠正面図。
【符号の説明】
【００１４】
１  スライドファスナー  ２  スライダー  ４  ファスナー基布  ６  糸
７  下止  ８  白衣  ８ｂ  白衣に設けている開口部  ９  布バンド  
【図１】
2008161489.tif 000003
【図２】
2008161489.tif 000004
【図３】
2008161489.tif 000005
【図４】
2008161489.tif 000006
【図５】
2008161489.tif 000007
【図６】
2008161489.tif 000008
【図７】
2008161489.tif 000009